(57)【要約】【課題】取り付けに係る作業性がよく取り扱いが容易な薬剤揮散具を提供する。【解決手段】本発明の薬剤揮散具１０は、開口部を有する樹脂ケース２ａと、樹脂ケース２ａの開口部に重なる開口部を有し、樹脂ケース２ａと嵌合した状態で内部に収容空間を形成する樹脂ケース２ｂと、樹脂ケース２ａ、２ｂの少なくとも一方に設けた揮散孔２ｃと、収容空間に収容される揮発性を有する薬剤を担持した複数個のビーズと、樹脂ケース２ａ、２ｂの開口部の縁同士を一体に連結した可撓性を有する連結部材１と、を有する。連結部材１は、変形不能な肉厚部分７ａ、７ｂ、７ｃと肉厚部分より薄い変形可能な肉薄部分８ａ、８ｂを交互につなげて形成され、樹脂ケース２ａ、２ｂを嵌合することで、ゴム紐６を囲むように円筒状に湾曲する。【選択図】図４
2019058092.tif 000002
【特許請求の範囲】
【請求項１】
第１の開口部を有する第１の容器と、
前記第１の開口部に重なる第２の開口部を有し、前記第１および第２の開口部を合わせて前記第１の容器と嵌合した状態で内部に収容空間を形成する第２の容器と、
前記第１および第２の容器の少なくとも一方に設けた揮散孔と、
前記第１の容器と前記第２の容器を嵌合した状態で前記収容空間に収容される揮発性を有する薬剤と、
前記第１のケースの前記第１の開口部の縁と前記第２のケースの前記第２の開口部の縁を一体に連結した可撓性を有する連結部材と、を有し、
前記連結部材は、変形不能な肉厚部分と前記肉厚部分より薄い変形可能な肉薄部分を交互につなげて形成され、前記第１の容器と前記第２の容器を嵌合することで、紐状部材を囲むように円筒状に湾曲する、
薬剤揮散具。
【請求項２】
前記肉厚部分は、前記連結部材を円筒状に湾曲させた状態で、その円筒の内面を構成する湾曲した内面を有する、
請求項１の薬剤揮散具。
【請求項３】
前記肉薄部分は、前記連結部材を円筒状に湾曲させた状態で、その円筒の外面の一部を構成する外面を有する、
請求項２の薬剤揮散具。
【請求項４】
前記肉厚部分は、前記連結部材を円筒状に湾曲させた状態で、隣接する肉厚部分と接触する接触端面を有する、
請求項３の薬剤揮散具。
【請求項５】
前記接触端面は、前記肉厚部分の湾曲に応じた径方向に延設された平らな面である、
請求項４の薬剤揮散具。
【発明の詳細な説明】
【技術分野】
【０００１】
本発明は、例えば、芳香剤、消臭剤、防虫剤などの薬剤を揮散させるための薬剤揮散具に関する。
【背景技術】
【０００２】
従来、芳香剤などの薬剤を揮散させる薬剤揮散具として、例えば、薬剤を含浸させた含浸体をケース内に収容し、ケースを吊り下げて使用するようにした薬剤揮散具が知られている。
【０００３】
この薬剤揮散具は、ケースを吊り下げるため、ケースの外面から突設した吊り下げ部を有し、この吊り下げ部に例えばゴム紐などを通すための挿通孔を有する。
【先行技術文献】
【特許文献】
【０００４】
【特許文献１】特開２００７−２９０１６号公報
【発明の概要】
【発明が解決しようとする課題】
【０００５】
上述した従来の吊り下げ式の薬剤揮散具では、ケースを吊り下げ対象物に吊り下げるため、例えば、吊り下げ部の挿通孔にゴム紐などを通して吊り下げ対象物に結び付ける必要がある。このため、取り付けに係る作業性が悪く、取り扱いが面倒であった。
【０００６】
本発明は、上記の点に鑑みてなされたもので、取り付けに係る作業性がよく取り扱いが容易な薬剤揮散具を提供することを目的とする。
【課題を解決するための手段】
【０００７】
本発明の薬剤揮散具の一態様は、第１の開口部を有する第１の容器と、第１の開口部に重なる第２の開口部を有し、第１および第２の開口部を合わせて第１の容器と嵌合した状態で内部に収容空間を形成する第２の容器と、第１および第２の容器の少なくとも一方に設けた揮散孔と、第１の容器と第２の容器を嵌合した状態で収容空間に収容される揮発性を有する薬剤と、第１のケースの第１の開口部の縁と第２のケースの第２の開口部の縁を一体に連結した可撓性を有する連結部材と、を有する。連結部材は、変形不能な肉厚部分と肉厚部分より薄い変形可能な肉薄部分を交互につなげて形成され、第１の容器と第２の容器を嵌合することで、紐状部材を囲むように円筒状に湾曲する。
【発明の効果】
【０００８】
本発明の一態様によれば、取り付けに係る作業性がよく取り扱いが容易な薬剤揮散具を提供することができる。
【図面の簡単な説明】
【０００９】
【図１】図１は、第１の実施形態に係る薬剤揮散具を示す外観斜視図である。
【図２】図２は、図１の薬剤揮散具の取付例を示す概略図である。
【図３】図３は、図１の薬剤揮散具の一方の容器を示す概略斜視図である。
【図４】図４は、図３の容器を展開した概略斜視図である。
【図５】図５は、第２の実施形態に係る薬剤揮散具の吊り下げ部材を示す断面図である。
【図６】図６は、図５の吊り下げ部材を環状の使用状態に変形した断面図である。
【発明を実施するための形態】
【００１０】
以下、本発明の実施形態について図面を参照して説明する。
（第１の実施形態）
図１に示すように、第１の実施形態に係る薬剤揮散具１０は、内部が空洞の略球形の２つの容器２、４を環状のゴム紐６（紐状部材）でつないだ構造を有する。ゴム紐６は、必ずしも環状である必要はなく１本の紐状部材であってもよく、必ずしも伸縮可能な材料により形成しなくてもよい。
【００１１】
一方の容器２の中には、揮発性を有する薬剤（芳香剤や消臭剤など）を封入したマイクロカプセルを担持した複数個のビーズ（図示せず）が収容されている。ビーズは、マイクロカプセルを用いずに薬剤を担持体に直接担持させたものであってもよく、薬剤自体を固まりにして担持体を用いずにビーズを形成してもよい。ビーズの個数、形状、大きさは、任意に設定可能であり、容器２に振動を与えたときに容器２内で移動可能であればよい。
【００１２】
もう一方の容器４は、容器２と同じようにビーズを収容してもよく、ビーズを収容しなくてもよい。２つの容器２、４の大きさや形状も同じである必要はない。容器４は、内部を空洞にする必要もない。しかし、本実施形態では、容器４を容器２と同じ構造に形成し、内部にビーズを収容した。以下の説明では、一方の容器２の構造について詳細に説明し、他方の容器４の構造については、容器２と同様に機能する構成要素に同一符号を付してその詳細な説明を省略する。
【００１３】
上記の構造を有する薬剤揮散具１０は、例えば、図２に示すように、自動車のヘッドレスト１２に結び付けたり、バックミラーに括り付けたり、エアコンの吹き出し口にあるルーバーに引っ掛けて取り付けたり、後部座席の上方にあるアシストグリップに結び付けたりして使用することができる。薬剤揮散具１０は、自動車の構成部品以外のいかなる吊り下げ対象物にも取り付けできる。
【００１４】
薬剤揮散具１０を例えば自動車の座席のヘッドレスト１２に結び付ける場合、ゴム紐６をヘッドレスト１２の一方の支柱１２ａに結び付ける。本実施形態の薬剤揮散具１０は、容器２に振動を与えることで、ビーズに担持したマイクロカプセルが破袋して薬剤が揮散するものであるため、自動車などの移動体に取り付けて使用するのに適している。
【００１５】
以下、薬剤揮散具１０の容器２の構造について、図３および図４を参照してより詳細に説明する。  
図３に示すように、容器２は、略半球状の２つの透明な樹脂ケース２ａ、２ｂを有する。容器２は、各樹脂ケース２ａ、２ｂの開口部の縁を互いに嵌め合わせた構造を有し、内部にビーズを収容するための概ね球状の収容空間を有する。２つの樹脂ケース２ａ、２ｂは、球を正確に半分にしたものではなく、本実施形態では、樹脂ケース２ａを樹脂ケース２ｂより若干大きく形成した。
【００１６】
樹脂ケース２ａ、２ｂは、複数個の円形や星形の揮散孔２ｃを有する。揮散孔２ｃは、樹脂ケース２ａ、２ｂを貫通して設けられている。揮散孔２ｃの形状や大きさは、ビーズが通過できない形状や大きさに設計されている。揮散孔２ｃの個数、形状、大きさは、任意に設定可能である。樹脂ケース２ａ、２ｂは、透明である必要はなく例えば樹脂ケース２ａ、２ｂの表面に絵柄を描いてもよい。
【００１７】
図４に示すように、小さい方（図示右側）の樹脂ケース２ｂ（第２の容器）の開口部（第２の開口部）の縁には、縁の形状に沿った２つの円弧状に湾曲した板状の係合突起３、３が一体に突設されている。２つの係合突起３、３は、開口部の円形の縁に沿って径方向の反対側に対向して離間した位置に設けられている。各係合突起３、３の径方向の外側には、それぞれ、湾曲した２つの係合爪３ａ、３ａが設けられている。各係合突起３の２つの係合爪３ａ、３ａは、互いに周方向に離間している。
【００１８】
大きい方（図示左側）の樹脂ケース２ａ（第１の容器）の開口部（第１の開口部）の縁には、樹脂ケース２ｂの４つの係合爪３ａにそれぞれ対応して、４つの係合爪５ａ（２つのみ図示）が内側に向けて突設されている。各係合爪５ａは、開口部の形状に合わせて湾曲しており、周方向に互いに離間して設けられている。４つの係合爪５ａそれぞれの内側に対向した位置には、開口部の縁に沿って湾曲した抑え板５が設けられている。
【００１９】
２つの樹脂ケース２ａ、２ｂの開口部を重ねて２つの樹脂ケース２ａ、２ｂを嵌合させる場合、小さい方の樹脂ケース２ｂの係合突起３が大きい方の樹脂ケース２ａの開口部の縁と抑え板５との間の隙間に挿入されて押し込まれ、樹脂ケース２ｂの４つの係合爪３ａと樹脂ケース２ａの４つの係合爪５ａがそれぞれ係合する。これにより、２つの樹脂ケース２ａ、２ｂが一体化され、図３に示すような球状の容器２が形成される。
【００２０】
ところで、２つの樹脂ケース２ａ、２ｂは、可撓性を有する板状の連結部材１により連結されている。連結部材１の一端は、一方の係合突起３の径方向の外側で樹脂ケース２ｂの開口部の縁近くの外面に一体に固定されている。連結部材１の他端は、２枚の抑え板５の間で樹脂ケース２ａの開口部の縁近くの外面に一体に固定されている。すなわち、連結部材１は、この連結部材１を折り曲げて２つの樹脂ケース２ａ、２ｂを嵌合したとき、それぞれ対応する４組の係合爪３ａ、５ａが対向する位置に設けられている。
【００２１】
より詳細には、図４に示すように、連結部材１は、３つの肉厚部分７ａ、７ｂ、７ｃを２つの肉薄部分８ａ、８ｂを介して一列に交互に連結した構造を有する。すなわち、肉厚部分７ａの一端（図示左端）が樹脂ケース２ａの外面に一体に連結され、肉厚部分７ａの他端と肉厚部分７ｂの一端が肉薄部分８ａを介して折り曲げ可能に連結され、肉厚部分７ｂの他端と肉厚部分７ｃの一端が肉薄部分８ｂを介して折り曲げ可能に連結され、肉厚部分７ｃの他端（図示右端）が樹脂ケース２ｂの外面に一体に連結されている。
【００２２】
連結部材１は、２つの樹脂ケース２ａ、２ｂとともに１種類の樹脂による一体成形により形成される。よって、肉薄部分８ａ、８ｂの曲げ易さは、肉薄部分８ａ、８ｂの厚みを選択することで調整される。本実施形態では、比較的ヒンジ特性のある（折り曲げに強い）ポリプロピレンやポリエチレンなどにより２つの樹脂ケース２ａ、２ｂ、および連結部材１を形成した。本実施形態では、肉薄部分８ａ、８ｂの厚さを０．２ｍｍ〜０．５ｍｍ程度に形成した。
【００２３】
３つの肉厚部分７ａ、７ｂ、７ｃは、それ自体が殆ど変形不能な厚さを有し、図３に示すように連結部材１を環状に湾曲させたときに円筒をなすように、それぞれ、同じ面側に湾曲している。本実施形態では、肉厚部分７ａ、７ｂ、７ｃの厚さを０．７ｍｍ〜１．５ｍｍ程度に形成した。
【００２４】
各肉厚部分７ａ、７ｂ、７ｃが肉薄部分８ａ、８ｂに連絡する端部には、肉厚の違いに応じた段部が設けられている。２つの肉薄部分８ａ、８ｂは、図３に示す環状にしたときに、３つの肉厚部分７ａ、７ｂ、７ｃの外面１ａと面一になる外面を有する。このため、段部は、肉厚部分と肉薄部分の間の内面１ｂ側に形成される。
【００２５】
言い換えると、この段部には、肉厚部分７ａ、７ｂ、７ｃの肉薄部分８ａ、８ｂをつないだ接触端面９が設けられる。肉厚部分７ａ、７ｂ、７ｃの接触端面９は、肉厚部分７ａ、７ｂ、７ｃの曲率（すなわち図３の円筒の曲率）に応じた半径方向に延設した平らな傾斜面であり、図３に示すように連結部材１を円筒状に湾曲させたとき、隣接する肉厚部分７ａ、７ｂ、７ｃの接触端面９同士が面で接触する。
【００２６】
つまり、図３に示すように連結部材１を環状にすると、肉薄部分８ａを介して隣接する２つの肉厚部分７ａ、７ｂの接触端面９、９が面で接触して互いに押圧され、肉薄部分８ｂを介して隣接する２つの肉厚部分７ｂ、７ｃの接触端面９、９が面で接触して互いに押圧される。これにより、円筒形にした連結部材１の内面１ｂが段差なくなめらかにつながった円筒面を形成する。このため、円筒状の連結部材１にゴム紐６を挿通したとき、ゴム紐６の摩耗を抑制することができ、ゴム紐６の使用寿命を延長することができる。
【００２７】
また、連結部材１を図４に示すように展開した状態で、２つの肉薄部分８ａ、８ｂは、３つの肉厚部分７ａ、７ｂ、７ｃと同じ面側、すなわち図３に示す環状にした状態で外面１ａ側に突出するように湾曲している。このため、連結部材１を図３に示すように円筒形に丸めたとき、連結部材１の外面１ａがなめらかな円筒表面となり、見た目がきれいに見える。また、肉薄部分８ａ、８ｂを外面１ａ側に突出するように湾曲させておくことで、肉薄部分８ａ、８ｂを折り曲げて連結部材１を環状にしたときに、肉薄部分８ａ、８ｂが切れ難く且つ曲がり易くすることができる。
【００２８】
容器２内に収容したビーズは、例えば、薬剤を封入したマイクロカプセルを含むスラリーを香料含浸体に含浸させたものである。香料含浸体として、例えば、多孔性セルロース粒子であるビスコパール（商品名）、紙、多孔性ケイ酸カルシウム粒子であるフローライト、ＥＶＡ（エチレン酢酸ビニルコポリマー）ビーズなどが用いられる。マイクロカプセルは、外部から圧力が加えられた際に破袋して内部に封入した薬剤を放出する。マイクロカプセルを含むスラリーは、香料含浸体に含浸され表面に塗布されているため、香料含浸体の外部から圧力が加わった際にマイクロカプセルが破袋するようになっている。この際、外部からの圧力は、摩擦などの接触による加圧を含む。
【００２９】
以下、上述した薬剤揮散具１０を組み立てて使用可能な状態（図１に示す状態）にするための手順の一例について説明する。  
まず、連結部材１で２つの樹脂ケース２ａ、２ｂを一体に連結した図４の樹脂部材を用意する。ここでは、図１に示すように、予め環状に形成したゴム紐６を介して２つの容器２、４をつなげるため、容器４用のもう一つの樹脂部材と環状のゴム紐６を用意する。また、薬剤を封入したマイクロカプセルを担持した複数個のビーズを用意する。複数個のビーズは、薬剤の不所望な揮散が起こらないようにビニール袋などにより密閉した状態となっている。
【００３０】
初めに、容器４を環状のゴム紐６につなげる。このとき、容器４内にはビーズを封入してもよく何も入れなくてもよい。ゴム紐６と容器４をつなげる場合、例えば、連結部材１の中央の肉厚部分７ｂの湾曲した内面１ｂにゴム紐６を乗せた状態で、連結部材１を環状に折り曲げつつ２つの樹脂ケース４ａ、４ｂ（図１）を互いに嵌合させる。
【００３１】
次に、容器２をゴム紐６の反対側につなげる。このとき、まず、ビニール袋からビーズを取り出して大きい方の樹脂ケース２ａ内に収容する。そして、例えば、連結部材１の中央の肉厚部分７ｂの湾曲した内面１ｂにゴム紐６を乗せた状態で、連結部材１を環状に折り曲げつつ樹脂ケース２ｂを樹脂ケース２ａに嵌合させる。
【００３２】
このとき、連結部材１は、２つの肉薄部分８ａ、８ｂで折り曲げられて環状にされる。この状態で、円筒状にされた連結部材１の内面１ｂがなめらかにつながっているため、ゴム紐６が連結部材１の内面１ｂに引っ掛かって摩耗する不具合を防止することができる。また、このとき、連結部材１の外面１ａ側に膨らんだ２つの肉薄部分８ａ、８ｂの作用により、連結部材１を円筒状に湾曲させたときになめらかな円筒形の外面１ａを形成し、見栄えをよくすることができる。
【００３３】
以上のように、本実施形態によると、２つの樹脂ケース２ａ、２ｂをつなげた連結部材１を環状に折り曲げてゴム紐６を通す挿通孔を形成するようにしたため、予め容器側に形成した挿通孔にゴム紐６を通す必要がなく薬剤揮散具１０の組み立てを容易にすることができ、組み立て時間を短縮することができる。また、この場合、予め環状に形成したゴム紐６を使用することができ、ゴム紐６を挿通孔に挿通した後に結ぶ必要がなく、組み立て作業を容易にすることができ、組み立て時間を短縮することができる。
【００３４】
また、本実施形態によると、複数（本実施形態では２つ）の肉薄部分８ａ、８ｂを介して複数（本実施形態では３つ）の肉厚部分７ａ、７ｂ、７ｃをつなげて連結部材１を構成したため、連結部材１を環状に丸めたときに連結部材１に作用する曲げ応力を複数箇所に分散させることができ、連結部材１の切れや破断を防止することができる。また、この場合、連結部材１を丸めた円筒の内径を比較的小さくすることができ、連結部材１の長さを比較的短くすることができる。
【００３５】
これに対し、例えば連結部材を均一な厚さの板状体により形成した場合、吊り下げ時の機械強度を確保し且つ環状に湾曲させた際の折り曲げ強度を確保するため、連結部材を比較的長くする必要がある。また、この場合、連結部材を必ずしも円筒形にきれいに曲げることができず、見栄えが悪くなる。
【００３６】
また、本実施形態によると、肉薄部分８ａ、８ｂを連結部材１の途中の複数箇所に設けたため、各肉薄部分８ａ、８ｂにかかる荷重を分散させることができ、使用時における肉薄部分８ａ、８ｂの切れや破断を抑制することができ、使用寿命を延長することができる。
【００３７】
（第２の実施形態）
次に、図５および図６を参照して、第２の実施形態に係る薬剤揮散具の吊り下げ部材２０について説明する。  
吊り下げ部材２０は、第１の実施形態の薬剤揮散具１０の連結部材１の代りに設けられたものであり、球状の容器２、４の外面上の任意の場所に設けることができる。つまり、この吊り下げ部材２０は、容器２（４）の２つの樹脂ケース２ａ、２ｂ（４ａ、４ｂ）の間に設ける必要はない。このため、容器２（４）も２つの樹脂ケース２ａ、２ｂ（４ａ、４ｂ）を嵌合させて形成する必要がない。
【００３８】
吊り下げ部材２０は、第１の実施形態の連結部材１と略同じ構造を有する。よって、ここでは、連結部材１と同様に機能する構成要素に同一符号を付してその詳細な説明を省略する。また、２つの容器２、４の吊り下げ部材２０は同じ構造を有するため、ここでは、一方の容器２の吊り下げ部材２０を代表して説明する。
【００３９】
吊り下げ部材２０は、肉厚部分７ａの一端を容器２の外面に一体に連結することで容器２と一体に設けられる。そして、肉厚部分７ａの他端と肉厚部分７ｂの一端が肉薄部分８ａを介して折り曲げ可能に連結され、肉厚部分７ｂの他端と肉厚部分７ｃの一端が肉薄部分８ｂを介して折り曲げ可能に連結され、肉厚部分７ｃの他端の外面１ａ側に係合爪２１が設けられている。
【００４０】
ゴム紐６を介在させて吊り下げ部材２０を図６に示すように環状に湾曲させると、吊り下げ部材２０の先端にある係合爪２１が容器２の外面の対応する部位に設けた係合爪２２に係合し、円筒状の吊り下げ部材２０が構成される。これにより、環状のゴム紐６が容器２につなげられる。
【００４１】
以上のように、本実施形態においても、上述した第１の実施形態と同様の効果を奏することができ、予め環状に形成したゴム紐６を容器２につなげることができ、薬剤揮散具の組み立てを容易にできる。
【００４２】
以上、いくつかの実施形態に基づいて本発明を説明したが、本発明は、上述した実施形態に限定されるものではなく、本発明の要旨の範囲内で種々の変形や応用が可能なことは勿論である。
【００４３】
例えば、上述した実施形態では、２つの樹脂ケース２ａ、２ｂを嵌合して球形の容器２を構成した場合について説明したが、これに限らず、容器２、４の形状はいかなる形状であってもよい。
【００４４】
また、上述した実施形態では、容器２の２つの樹脂ケース２ａ、２ｂそれぞれに揮散孔２ｃを設けた場合について説明したが、これに限らず、樹脂ケース２ａ、２ｂの少なくとも一方に揮散孔２ｃを設ければよい。
【００４５】
また、上述した実施形態では、揮発性を有する薬剤を担持した複数個のビーズを容器２内に収容配置した場合について説明したが、これに限らず、薬剤を担持させた担持体をビーズ状にするのではなく、ゲル状や固体状にして容器２内に収容配置してもよい。
【００４６】
さらに、上述した実施形態では、３つの肉厚部分７ａ、７ｂ、７ｃを２つの肉薄部分８ａ、８ｂを介してつなげた連結部材１（吊り下げ部材２０）を用いた場合について説明したが、これに限らず、折り曲げ可能な箇所が複数あればよく、肉厚部分および肉薄部分の個数は任意に変更可能である。
【符号の説明】
【００４７】
１…連結部材、  １ａ…外面、  １ｂ…内面、  ２、４…容器、  ２ａ、２ｂ…樹脂ケース、  ２ｃ…揮散孔、  ３…係合突起、  ３ａ、５ａ…係合爪、  ５…抑え板、  ６…ゴム紐、  ７ａ、７ｂ、７ｃ…肉厚部分、  ８ａ、８ｂ…肉薄部分、  ９…接触端面、  １０…薬剤揮散具、  ２０…吊り下げ部材、  ２１、２２…係合爪。
【図１】
2019058092.tif 000003
【図２】
2019058092.tif 000004
【図３】
2019058092.tif 000005
【図４】
2019058092.tif 000006
【図５】
2019058092.tif 000007
【図６】
2019058092.tif 000008